(57)【要約】      （修正有）【課題】地下躯体の解体を行って地盤を構築する場合、建替えの際、H鋼や杭を立設するため穿孔を行うこととなるが、解体したコンクリート破砕片上に埋め込み土類や盛土が充填されていても、オーガマシンによる穿孔作業が可能となる地下構造の解体方法を提供する。【解決手段】地下躯体１を最下層から隣接地が崩壊しない高さで段階的に解体を行い、段階的に形成される解体空隙に埋め込み土類５を充填して残存躯体を支える仮土台６を形成するとともに底部領域に盛土して嵩上げ地盤を最上層まで積層して更地を構築する地下構造の解体工法において、建替え時に穿孔される穿孔領域３は最下層から最上層まで解体時に発生する破砕片を除いた埋め込み土類をもって積層形成するものである。【選択図】図７
2019206860.tif 000002
【特許請求の範囲】
【請求項１】
地下躯体を最下層から隣接地が崩壊しない高さで段階的に解体を行い、段階的に形成される解体空隙に埋め込み土類を充填して残存躯体を支える仮土台を形成するとともに底部領域に盛土して嵩上げ地盤を最上層まで積層して更地を構築する地下構造の解体工法において、建替時に穿孔される穿孔領域は最下層から最上層まで解体時に発生するコンクリート破砕片を除いた埋め込み土類をもって積層形成することを特徴とする地下構造の解体工法。
【発明の詳細な説明】
【技術分野】
【０００１】
本発明は、地下構造の解体工法に関するものである。
【背景技術】
【０００２】
従来、コンクリート構築物の解体は地上階を解体後、地下躯体内で作業員が手作業ではつり解体を行ったり、重機を地下躯体内に搬入して解体作業を行うため、解体時に発生するコンクリート破砕片は搬出と処理に手間がかかるので埋立材として利用するのを普通としている。しかし、解体に続けて地盤にビルを立替建設する場合、H鋼・杭等の立設位置にオーガマシンで穿孔作業を行うと、コンクリート破砕片が埋め込み土類に含まれているとオーガマシンによる穿設作業ができなくなるという問題がある。
【先行技術文献】
【特許文献】
【０００３】
【特許文献１】特開２００３−６４７１２号公報
【発明の概要】
【発明が解決しようとする課題】
【０００４】
本発明は前記のような問題点を解消して、オーガマシンによりる穿設作業を可能とする地下構造の解体工法を提供することを目的とするものである。
【課題を解決するための手段】
【０００５】
本発明は、地下構造を最下層から隣接地が崩壊しない高さで段階的に解体を行い、段階的に形成される解体空隙に埋め込み土類を充填して残存躯体を支える仮土台を形成するとともに底部領域に盛土して嵩上げ地盤を最上層まで積層して更地を構築する地下構造の解体工法において、建替時に穿孔される穿孔領域は最下層から最上層まで解体時に発生するコンクリート破砕片を除いた埋め込み土類をもって積層形成するものである。
【０００６】
上記課題解決手段による作用は次の通りである。すわわち、穿孔される部位にコンクリート破砕片を除いて埋め込み土類を最上層まで積層した穿孔領域とすることにより、オーガマシンによる穿孔作業が可能となり、建替え時、オーガマシンによりH鋼・杭等の立設位置への穿孔作業が可能となる。
【発明の効果】
【０００７】
上述したように本発明の地下構造の解体工法は、穿孔する部位にコンクリート破砕片を除いた埋め込み土類を最上層まで積層して穿孔領域を形成するので、オーガマシンによる穿孔作業が可能となり、コンクリート破砕片があっても掘削できる高価な掘削機を用いる必要がなくランニングストを抑えることができる、また、非穿孔部位はコンクリート破砕片を取り除く必要がなく、コンクリート破砕片を利用することができるので、コンクリート破砕片を外部に搬出して廃棄処理する費用が不必要となるうえに、外部から投入する埋め込み土類類の使用量を減らすことができるので解体費用を削減できることとなる。
【図面の簡単な説明】
【０００８】
【図１】地上部を解体した状態を示す斜視図である。
【図２】同じく土間を解体した状態を示す斜視図である。
【図３】同じく地下躯体の最下層を破砕した状態を示す斜視図である。
【図４】同じく地下躯体の最下層を破砕した状態を示す断面図である。
【図５】同じく地下躯体の破砕部Bの穿孔部位のコンクリート破砕片Cを除去して埋め込み土類を充填した穿孔領域を示す断面図である。
【図６】同じく地下躯体の右方最下層を破砕した状態を示す断面図である。
【図７】同じく右方の破砕部Bの非穿孔部位に残ってるコンクリート破砕片C上に埋め込み土類を充填するとともに、解体高さまでコンクリート破砕片C上に盛土して嵩上げ地盤を形成した状態を示す断面図である。
【図８】同じく斜視図である。
【図９】同じく地下躯体の次下層に形成した破砕部Bを示す断面図である。
【図１０】同じく破砕部Bの穿孔部位のコンクリート破砕片Cを除去して埋め込み土類を充填した穿孔領域を示す断面図である。
【図１１】同じく地下躯体の次下層に破砕部Bを形成した状態を示す断面図である。
【図１２】同じく破砕部Bの非穿孔部位に残ってるコンクリート破砕片C上に埋め込み土類を充填するとともに、解体高さまでコンクリート破砕片C上に盛土して嵩上げ地盤を形成した状態を示す断面図である。
【図１３】同様の作業を繰り返して最上段まで穿孔部位に穿孔領域を形成するとともに、最上段まで嵩上げ地盤を形成して更地を構築した状態を示す断面図である。
【図１４】同じく更地に形成された穿孔領域を示す斜視図である。
【発明を実施するための形態】
【０００９】
本発明を実施形態を図１〜図１４に基づいて説明する。
図１に示すように、コンクリート建築物の地上階を破砕解体後、残存する地下躯体１に重機Sを降ろして図２に示すように土間２を破砕する。続けて、図３、４に示すように、地下躯体１の最下層を重機Sで隣接地が崩落しない高さで破砕し、破砕部Bを形成する。なお、重機Sを用いず人手により土間２や地下躯体１の破砕を行ってもよいことは当然である。
【００１０】
図５に示すように、建替え建築時に杭やH鋼等を立設する穿孔部位はオーガマシンによる穿孔作業が必要となるので、破砕部B部に散在してるコンクリート破砕片Cを除去して埋め込み土類５を充填して地下躯体１の荷重を受けるとともに、オーガマシンによる穿設が可能な穿孔領域３を形成する。また、地下構造に独立柱を設けるための杭を立設する部位にはコンクリート破砕片Cを除去したうえ埋め込み土類５を解体高さまで投入してオーガマシンによる穿設が可能な穿孔領域３を形成する。
【００１１】
次に、破砕部Bの非穿孔部位は残存するコンクリート破砕片C上に埋め込み土類５を充填して非穿孔領域４を形成して地下躯体１を支える。次に、図６に示すように、地下躯体１の右方の最下層を破砕し破砕部Bを形成する。
【００１２】
図７、８に示すように、右方の最下層破砕部Bは非穿孔部位のため、コンクリート破砕片C上に埋め込み土類５を充填した仮土台６となる非穿孔領域４を形成して地下躯体１を支える。次に、地下構造の底部領域の非穿孔部位には余ったコンクリート破砕片Cを分散させたうえ、コンクリート破砕片C上に盛土７して解体高さの嵩上げ地盤８を形成する。
【００１３】
次に、図９に示すように、地下躯体１の次下層を破砕して破砕部Bを形成する。図１０に示すように破砕部B、即ちH鋼・杭等を立設する穿孔部位はコンクリート破砕片Cを除去したうえ埋め込み土類５を充填した穿孔領域３を形成して地下躯体１を支えてオーガマシンによる穿設が可能な穿孔領域３とする。
【００１４】
図１１に示すように、地下躯体１の右方の次下層を破砕して破砕部Bを形成したうえ、図１２に示すように、右方の破砕部Bに散在しているコンクリート破砕片C上に埋め込み土類５を充填して地下躯体１を支える非穿孔部位としての仮土台６を形成する。次に、地下構造の底部領域の非穿孔部位には余ったコンクリート破砕片Cを分散させたうえ、コンクリート破砕片C上に盛土７を投入して解体高さの嵩上げ地盤８を形成する。
【００１５】
図１３、１４に示すように、以降前記同様の作業工程を繰り返して最上層まで穿孔部位には埋め込み土類５のみで穿孔領域３を積層立設するとともに、破砕部Bの非穿孔領域４にはコンクリート破砕片C上に投入された埋め込み土類３を充填するとともに、底部領域はコンクリート破砕片C上に盛土７を投入して嵩上げ地盤８を積層形成して更地を構築する。
【符号の説明】
【００１６】
１      地下躯体
２      土間
３      穿孔領域
４      非穿孔領域
５      埋め込み土類
６      仮土台
７      盛土
８      嵩上げ地盤
S       重機
B       破砕部
C       コンクリート破砕片
【図１】
2019206860.tif 000003
【図２】
2019206860.tif 000004
【図３】
2019206860.tif 000005
【図４】
2019206860.tif 000006
【図５】
2019206860.tif 000007
【図６】
2019206860.tif 000008
【図７】
2019206860.tif 000009
【図８】
2019206860.tif 000010
【図９】
2019206860.tif 000011
【図１０】
2019206860.tif 000012
【図１１】
2019206860.tif 000013
【図１２】
2019206860.tif 000014
【図１３】
2019206860.tif 000015
【図１４】
2019206860.tif 000016